(57)【特許請求の範囲】
【請求項１】
上下端が開口した筒状に形成され、その内周面には、上部開口より下方へ内径を漸次縮径して上部テーパー面を設けるとともに、下部開口より上方へ内径を漸次縮径して下部テーパー面を設け、該上部テーパー面と該下部テーパー面との境には下部テーパー面側が上部テーパー面側に対して高くなるような段差を形成する１つの段部を環状に設け、該段部は側面視で軸心に対し傾斜して形成され、さらに、前記上部および下部テーパー面のテーパー角度が１°〜１０°に形成されている棒状化粧料保持体。
【請求項２】
前記段部の高さが０．１〜２．０ｍｍに形成されていることを特徴とする請求項１に記載の棒状化粧料保持体。
【請求項３】
前記段部の高さが０．３ｍｍに形成され、前記上部テーパー面のテーパー角度が３°〜８°に形成され、且つ、前記下部テーパー面のテーパー角度が２°〜５°に形成されていることを特徴とする請求項１に記載の棒状化粧料保持体。
【請求項４】
前記段部の高さが０．３〜２．０ｍｍに形成され、前記上部テーパー面のテーパー角度が３°に形成され、且つ、前記下部テーパー面のテーパー角度が２°〜５°に形成されていることを特徴とする請求項１に記載の棒状化粧料保持体。
【請求項５】
前記棒状化粧料保持体の軸心に対する、前記段部の傾斜角度が４５°〜６０°に形成されていることを特徴とする請求項１ないし請求項４のいずれか１項に記載の棒状化粧料保持体。
【請求項６】
先端の開口縁に沿って複数の切り欠き部を形成したことを特徴とする請求項１ないし請求項５のいずれか１項に記載の棒状化粧料保持体。
【発明の詳細な説明】
【技術分野】
【０００１】
本発明は、棒状化粧料の容器内において繰り上げ／繰り下げ自在に形成された、棒状化粧料保持用の保持体に関する。
【背景技術】
【０００２】
近年、市場では柔らかい感触を有し、ツヤ感の高い口紅が求められている。かかる要求品質を具現化するために、バック充填方式、即ち、容器を倒立させてその底部の充填孔より容器内に加熱溶融した化粧料を直接充填し、冷却固化することにより棒状化粧料を成型する製造方法が有利であり、一般的に行われている。この方法では、一般的に容器の一部である筒部（スリーブ）内に、その中を上下動可能な筒状の化粧料用保持体を装着し、これら筒状部材の内部に加熱溶融した化粧料（バルク）を直接充填してそのまま冷却固化する。（特許文献１、２）。【０００３】
このようなバック充填方式で成型された化粧料はスリーブおよび保持体に直接充填したものであることから、固化した後に化粧料が容器のスリーブ内壁面に一部固着している場合があり、使用開始時、保持体に装着した化粧料を繰り上げる際に、かかる固着が原因で化粧料に下方向（底方向）の強い応力がはたらくことがあった。また、通常使用の際にも、化粧料の先端は被塗布部に押圧されるため、化粧料に対する下方向への応力が発生する。かかる下方向への応力は、化粧料を筒状の保持体から下方向へ抜き出す力としてはたらくので、これを阻止するために保持体に化粧料を保持し固定するための手段を講じる必要がある。その一般的な方法として、保持体の内壁に１個または複数の爪部など突起物（リブ）を設けておき、溶融した化粧料を充填、固化させて、リブで化粧料を係合保持させることが行なわれている（特許文献３）。【０００４】
しかしながら、化粧料をリブで係合保持する方法には、以下のような問題があった。すなわち、バック充填方式で成型された化粧料は、前述のように繰り上げ動作時に容器のスリーブ内壁面と化粧料の固着に起因する応力を生じるが、かかる応力によるストレスは、結果的に化粧料と保持体との係合保持部分、すなわちリブ部分へ集中することになる。【０００５】
リブによる化粧料の係合保持は、固化した化粧料自体の固さによりその保持力が確保されるものであるため、例えば柔らかい化粧料の場合にはリブによる保持体への保持力が低下し、上述のようなストレスが加わった場合に、十分保持することができない場合がある。特に、口紅等の棒状化粧料の使用感をより柔らかくするために、例えば骨格を形成する固形油の配合量を低減したような場合には化粧料自体も脆弱になるため、従来のリブで保持するタイプの保持体では、上記のようにストレスがリブとの係合部分に集中するとその部分の化粧料が崩れ、化粧料が保持体に十分に保持されないという問題があった。【０００６】
そのための対策として、例えばリブの大きさや長さ、高さなど、寸法を大きくすることにより係合保持力を向上させる方法が考えられるが、リブがもともと有する特性として、保持体内に加熱溶融した化粧料を充填する際、保持体の内部にリブのような突起物があるとその周辺で溶融化粧料の流動に乱れが生じ、充填完了時にその周辺部分に気泡が残る場合がある。そして、溶融状態の化粧料は充填されるとすぐに冷却が始まり、溶融状態の化粧料の流動性ももともと高くないことも相俟って、結果的にリブ付近で気泡が残ったまま冷却固化され、空洞を形成する。このリブ周辺の空洞は、リブによる化粧料の係合保持力を低下させ、成型不良の原因となる。リブの寸法を大きくすることはこのような気泡をより発生し易くするものであり、成型不良の発生率を増大させるものであるため、特に柔らかい感触を有する機械的強度の低い棒状化粧料に対しては、保持力向上の方法としては十分なものではなかった。【０００７】
以上のように、リブ部分における化粧料の破損や成型不良は棒状化粧料、とりわけ機械的強度の低い、柔らかいタイプの棒状化粧料に対する保持体の係合保持力低下のさらなる原因となり、その結果、保持体の動きと化粧料の動きが連動しなかったり、使用時に化粧料が押し下げられるなどという問題が生じていた。また、通常の使用時のみならず、容器をうっかり落として外部から強い衝撃を受けた場合などは、化粧料が保持体から飛び出してしまい、化粧料表面を傷つける場合もあった。【０００８】
特許文献４には、バック充填方式の化粧料用ではないが、リブを突条としてらせん方向に形成することにより、中皿（保持体）との嵌合強度を高めて化粧料を抜けにくくしたものが開示されている。【０００９】
しかしながら、このものは、リブがらせん状に連続して形成されているため、バック充填方式のものに適用するとリブ付近に気泡がより発生しやすくなり、成型不良のおそれがあった。また、リブ部分に集中的にストレスが加わることになるため、特に柔らかいタイプの棒状化粧料の場合、かかるリブ部分から破断する可能性があった。さらに、もともと棒状化粧料をねじ込むものであるため、化粧料の回転方向の動きを阻止するリブの抵抗力も十分なものではなかった。【００１０】
そこで、本出願人は、上記課題を解決するべく、上下端が開口した筒状に形成され、その内周面には上部開口側より略中央部にかけて内径が漸次縮径するテーパーを設けるとともに、該テーパーを設けた内周面には上部開口側より略中央部側が高くなるよう形成された複数の段部を環状に設け、該段部が側面視で筒状の軸心に対し傾斜して形成された棒状化粧料保持体を発明した（特許文献５）。すなわち、この棒状化粧料保持体は、保持する棒状化粧料にかかる上下方向のストレスを、保持体の内径を漸次縮径することによりテーパーを形成した内周面（以下、テーパー面と記す）で受け止め、さらに、保持体中で棒状化粧料を回転させる方向のストレスを、複数の段部の段差面で受け止めることにより、棒状化粧料を確実に保持することができるというものである。【００１１】
ところで、かかる棒状化粧料保持体は、上述のような柔らかい化粧料の場合には特段の問題はないが、化粧料を通常の硬さのものにした場合、以下のような問題が考えられる。すなわち、化粧料を一般的な硬さにするためには、その成分中、ワックスの配合を増やす必要が生じるが、かかるワックスの配合割合が増えるに従い、化粧料成型時の冷却固化による化粧料の収縮率も高くなることが知られている。そして、出願人発明による棒状化粧料保持体の場合、複数の段部による保持力が強いため、収縮時に化粧料保持体内で化粧料が適度に収縮することができず、その結果、化粧料が部分的にクラックなどの破損を生ずる可能性があった。【００１２】
【特許文献１】特開２００１−８７０３３
【特許文献２】特開２００２−３４９
【特許文献３】特開２００９−２２６００４
【特許文献４】特開２００１−１８６９２０
【特許文献５】特願２０１０−１７１９８４
【発明の概要】
【発明が解決しようとする課題】
【００１３】
そこで本発明は、従来の棒状化粧料保持体のかかる欠点を克服し、棒状化粧料に対する上下方向および回転方向に対する係合保持力を高めるとともに、従来リブに集中していたストレスを面に分散して化粧料の破損を防ぎ、さらに気泡による化粧料の成型不良を防いで、棒状化粧料を確実に係合保持することができる棒状化粧料保持体であって、通常の硬さの化粧料にも使用した場合でもクラック発生による成型不良を防ぐことができる棒状化粧料保持体の提供をその課題とするものである。
【課題を解決するための手段】
【００１４】
本発明は、上記課題を解決するものであり、上下端が開口した筒状に形成され、その内周面には、上部開口より下方へ内径を漸次縮径して上部テーパー面を設けるとともに、下部開口より上方へ内径を漸次縮径して下部テーパー面を設け、該上部テーパー面と該下部テーパー面との境には下部テーパー面側が上部テーパー面側に対して高くなるような段差を形成する１つの段部を環状に設け、該段部は側面視で軸心に対し傾斜して形成され、さらに、前記上部および下部テーパー面のテーパー角度が１°〜１０°に形成されている棒状化粧料保持体である。また、本発明は、さらに前記段部の高さが０．１〜２．０ｍｍに形成されている前記の棒状化粧料保持体である。
【発明の効果】
【００１５】
本発明の棒状化粧料保持体は、保持する棒状化粧料にかかる上下方向のストレスを、保持体の内径を漸次縮径することによりテーパーを形成した内周面（以下、テーパー面と記す）で受け止め、さらに、保持体中で棒状化粧料を回転させる方向のストレスを、保持体の軸心に対して傾斜して設けた段部の段差面で受け止めることにより、棒状化粧料を確実に保持することができる。また、従来はリブ等の突起物で形成された係合保持部分に局所的に集中していたストレスが、面に分散するため、係合保持部分付近で化粧料が破損しにくくなり、さらに成型時に突起物に起因する気泡等が発生しにくいため、成型不良を効果的に防ぐことができる。従って、本発明の棒状化粧料保持体は、通常の硬さの棒状化粧料はもとより、柔らかい感触を有し、機械的強度が低いためリブ等の突起物では保持が難しいタイプの棒状化粧料に対しても、優れた係合保持性を有する。【００１６】
さらに本発明の棒状化粧料保持体は、保持体内周面に設けた段部を１つにし、且つ、前記テーパー面のテーパー角度、またはさらに前記段部の高さを所定の範囲内に設定することにより、成型時の冷却固化による化粧料の適度な収縮を妨げることなく、特にクラックの発生しやすい通常の硬さの棒状化粧料において、クラック発生による成型不良を効果的に防ぐことができる。
【図面の簡単な説明】
【００１７】
【図１】本発明の棒状化粧料保持体の正面図。
【図２】本発明の棒状化粧料保持体の側面図。
【図３】本発明の棒状化粧料保持体の正面断面図。
【図４】本発明の棒状化粧料保持体の側面断面図。
【図５】本発明の棒状化粧料保持体を組み付けた棒状化粧料容器の断面図。
【図６】本発明の棒状化粧料保持体の斜視図。
【図７】本発明の棒状化粧料保持体の段部の高さを一定にし、テーパー面のテーパー角度を変えた場合の実施態様
【図８】本発明の棒状化粧料保持体の上部テーパー面のテーパー角度を一定にし、段部の高さと下部テーパー面のテーパー角度を変えた場合の実施態様
【発明を実施するための形態】
【００１８】
以下、本発明の棒状化粧料保持体の実施態様を、図面に基づいて具体的に説明する。なお、本発明はこれら実施態様に何ら制約されるものではない。
【００１９】
図１は本発明の棒状化粧料保持体の正面図、図２は同側面図、図３は同正面断面図、図４は同側面断面図、図５は本発明の棒状化粧料保持体を組み付けた棒状化粧料容器の側面断面図、図６は棒状化粧料保持体の斜視図である。図中、１は棒状化粧料保持体、２はスリーブ、３は回転筒、４は容器外筒、１１は周壁、１２は段部、１３は上部テーパー面、１４は下部テーパー面、１５は上部開口、１６は下部開口、１７は突起部、２１はガイド溝、３１は螺旋溝、４１は容器底部充填孔、１５１は開口縁、１５２は切り欠き部、Ａは軸心、θ１は軸心に対する段部の傾斜角度をそれぞれ示す。
【００２０】
図１〜図５に示すように、本発明の棒状化粧料保持体１は、上下両端に開口１５、１６を有する円筒状であり、上部開口１５の開口縁１５１は側面視で斜めになるよう形成されている。周壁１１の外周面の下部には突起部１７が設けられており、かかる突起部１７が回転筒３の回転に伴い回転筒３内の螺旋溝３１およびスリーブ２のガイド溝２１に沿って上下することにより、棒状化粧料保持体１がスリーブ２内を上下動する。棒状化粧料保持体１に化粧料を充填する際は、スリーブ２の先端をキャップ状の部材（図示せず）で封止し、容器を倒立させ、容器底部充填孔４１および棒状化粧料保持体１の下部開口１６よりスリーブ２内および保持体１内に加熱溶融した化粧料を注入し、その後、冷却固化の工程を経て使用可能な状態となる。
【００２１】
本実施態様の棒状化粧料保持体１は、図３、図４に示すように、上部開口１５から下方へ内径が漸次縮径して上部テーパー面１３が形成され、また、下部開口１６からは上方へ内径が漸次縮径して下部テーパー面１４が形成されている。上部テーパー面１３と下部テーパー面１４との境には、下部テーパー面１４側が上部テーパー面１３側に対して高くなるような段差を形成する段部１２が設けられている。かかる段部１２は上部開口１５から略３分の１の部位において形成されており、その段差の高さは、テーパー面１３、１４のテーパー角度との関係で種々想定されるが、０．１〜２ｍｍが好ましく、特に、０．３〜０．５ｍｍが望ましい。また、かかるテーパー面１３、１４のテーパー角度は、段部１２の高さとの関係で種々想定されるが、１°〜１０°の範囲に形成することが好ましい。
【００２２】
本実施態様における段部１２は、棒状化粧料保持体１の周壁１１の内周面に環状に形成されているが、図４に示すとおり、かかる環状は棒状化粧料保持体１の軸心Ａに対して垂直ではなく、傾斜して設けられている。本実施態様における傾斜角度θ１は、開口縁１５１の側面視の傾斜角度とほぼ同一になるように形成されているが、これに限らず、好ましくは５°〜８５°の範囲内で適宜に設定でき、化粧料との摩擦力とテーパー面内で形成可能な範囲を考慮すると４５°〜６０°が特に好ましい。
【００２３】
このように、本実施態様における棒状化粧料保持体１は、段部１２にかけて上部開口１５および下部開口１６から内径が漸次縮径することで内周面にテーパー面１３、１４を形成するため、棒状化粧料保持体１全体では、上下端部の内径がもっとも大きく、段部１２に向かって徐々に狭まり、段部１２においてもっとも小さくなっている。なお、本実施態様では、棒状化粧料保持体１の周壁１１の厚みを上部開口１５および下部開口１６から段部１２にかけて次第に厚くすることによりテーパー面１３、１４を形成しているが、テーパー面の形成の方法はこれに限らず、たとえば周壁１１の厚みは一定にして、内径とともに棒状化粧料保持体１の外径も縮径し、段部１２が形成されている位置に相当する外周壁部分がくびれるように形成してもよい。
【００２４】
上記の通り、本発明の棒状化粧料保持体１は、段部１２を境としてその上方および下方の内周面に上部テーパー面１３および下部テーパー面１４を設けることで、使用時に化粧料にかかるストレスを分散することが可能となる。具体的には、使用開始時や通常の使用時に化粧料に対して働く下方向への応力は、上部テーパー面１３の面全体で受け止めることによりストレスが分散されて、棒状化粧料の下方向への移動を防ぐことができる。また、容器の落下時などに発生しうる上方向への応力は、下部テーパー面１４の面全体で受け止めることによりストレスが分散され、化粧料の上方向への移動を防ぐことができる。
【００２５】
また、棒状化粧料保持体１内で、保持された棒状化粧料を回転させる方向のストレスに対しては、段部１２により受け止めることができ、化粧料の回転方向のズレを防ぐことができる。すなわち、段部１２は棒状化粧料保持体１の内周面に環状に形成されており、且つ、その環状面は棒状化粧料保持体１の軸心Ａに対して傾斜しているため、円筒形状である棒状化粧料保持体１を平面に展開すると、段部１２は１サイクルの波形状を形成している。従って、この段部１２による回転方向の動きの規制は、棒状化粧料保持体１の段部１２の段差面と棒状化粧料がそれぞれ形成する、波の山と谷を互いに係合させることによる動きの規制効果であり、しかも、上下方向の動きは前述のように上部テーパー面１３、下部テーパー面１４により規制されているため、両者が協働的にはたらき、その結果、回転方向のズレを効果的に防ぐことができる。
【００２６】
そして、本発明の棒状化粧料保持体１には化粧料保持のためのリブ等の突起物を保持体の内部に有していないため、化粧料成型の際に係合保持部分の気泡が発生しにくく、しかも係合保持部分に集中する局所的なストレスがないため、係合保持部分付近で化粧料の一部が破損することもない。従って、本発明の棒状化粧料保持体１は、通常の硬さの棒状化粧料はもとより、機械的強度が低いため、従来のリブ等の突起物では保持が難しかった柔らかいタイプの棒状化粧料も、確実に保持することができる。
【００２７】
図７（ａ）〜（ｃ）は、段部１２の高さを一定にし、上部テーパー面１３のテーパー角度と下部テーパー面１４のテーパー角度を変えた場合の実施態様である。具体的には、段部１２の高さは０．３ｍｍに形成され、上部テーパー面１３のテーパー角度θ２が３°、５°、８°に形成されるとともに、下部テーパー面１４のテーパー角度θ３が２°、３°、５°に形成されている。ここで「テーパー角度」とは、棒状化粧料保持体１の外周壁と軸心Ａが平行の場合、かかる外周壁との関係における傾斜角度をいうものとする。図に示すように、段部１２を一定の高さの０．３ｍｍに設定した場合、上部テーパー面１３および下部テーパー面１４のテーパー角度を調整することにより、化粧料の硬さに応じた保持力を設定することが可能となる。通常の硬さの棒状化粧料の場合は、図７（ａ）〜（ｃ）のように、上部開口１５から前段部１２にかけてテーパー角度θ２を３°〜８°に形成するとともに、下部開口１６から段部１２にかけてテーパー角度θ３を２°〜５°に形成することが好ましい。
【００２８】
図８（ａ）〜（ｄ）は、上部テーパー面１３のテーパー角度を一定にし、段部１２の高さと下部テーパー面１４のテーパー角度を変えた場合の実施態様である。具体的には、段部１２の高さが０．３、０．５、１．０、２．０ｍｍに形成され、上部テーパー面１３のテーパー角度θ２が３°に形成され、且つ、下部テーパー面１４のテーパー角度θ３が２°、２．５°、３°、５°にそれぞれ形成されている。図に示すように、上部テーパー面１３のテーパー角度θ２を一定の角度の３°に設定した場合、段部１２の高さおよび下部テーパー面１４のテーパー角度θ３を調整することにより、化粧料の硬さに応じた保持力を設定することが可能となる。通常の硬さの棒状化粧料の場合は、図８（ａ）〜（ｄ）のように、段部１２の高さを０．３〜２．０ｍｍに形成し、下部開口１６から段部１２にかけてテーパー角度を２°〜５°に形成することが好ましい。
【００２９】
また、段部１２の高さは棒状化粧料保持体１の内径との比率で決定しても良い。すなわち、棒状化粧料が通常の硬さの場合、段部１２の高さと棒状化粧料保持体１の内径の比は、棒状化粧料保持体１の内径が８〜２０ｍｍφとして、棒状化粧料保持体１の内径寸法に対する段部１２の高さの寸法の比を０．０１〜０．２の範囲で設定することができ、０．０２〜０．１が好ましく、０．０２５〜０．０５が特に好ましい。なお、ここで「棒状化粧料保持体１の内径」とは、棒状化粧料保持体１の下部開口１６側の端部の内径を基準とする。
【００３０】
また、ここでいう「通常の硬さ」の棒状化粧料とは、下記測定方法による針入荷重値Ｓ（ｇ）が１２０〜２４０（ｇ）の範囲にある程度の硬さを示す固形の化粧料により形成される棒状化粧料をいう。とりわけ、１５０〜２１０（ｇ）の範囲にある硬さのものは、本発明の効果をより享受することができ、保持体への係合保持性においても、また感触においても、特に優れた品質の棒状化粧料製品を提供することができる。このような棒状化粧料は、針入荷重値Ｓ（ｇ）が上記範囲内のものであればその組成は限定されないが、例えば、化粧料を棒状に保つ骨格となる固形油と、塗布時の感触や塗布量等を調整する非固形油とを主成分とする基剤において、該固形油の基剤中の含有量を５〜１５質量％、好ましくは８〜１２質量％とし、この基剤に、色素・顔料、美容成分、保存剤・酸化防止剤等を、好ましくは基剤１００質量部に対し０．０００１〜２０質量部程度添加したものを挙げることができる。
【００３１】
＜針入荷重値Ｓの測定方法＞
溶融した化粧料を金属製の皿に流し込んで冷却固化し、試料とする。試料を測定温度３５℃に１時間静置した後、針入荷重測定装置（例えば、レオメーター（不動工業社製）等）にて、先端面が直径３ｍｍの円形であるプランジャーを速度６ｃｍ／１分の条件で、試料表面から垂直に深さ２ｍｍとなるまで押入させ、この間にプランジャーにかかる応力（ｇ）を測定する。この時の最大応力（ｇ）を針入荷重値Ｓ（ｇ）とする。
【００３２】
上記棒状化粧料の組成において、固形油としては、常温で固形状であり、棒状化粧料の骨格となる油性成分であれば限定されないが、好ましいものとして（エチレン・プロピレン）コポリマー、ポリエチレンワックス、オゾケライトワックス、セレシンワックス、マイクロクリスタリンワックス、フィッシャートロプシュワックス、パラフィンワックス等の炭化水素ワックスや、カルナウバワックス、キャンデリラワックス等のエステル系ワックス等を挙げることができる。この中でも、形状保持性や塗布膜の均一性の点で（エチレン・プロピレン）コポリマーが特に好ましい。
【００３３】
上記非固形油としては、液状油、ペースト状油、油ゲル化剤、油溶性樹脂類等が挙げられ、具体的には、流動パラフィン、重質流動イソパラフィン、α−オレフィンオリゴマー、ポリイソブチレン、ポリブテン、スクワラン、ワセリン等の炭化水素類；オリーブ油、ヒマシ油、ホホバ油、マカデミアンナッツ油等の植物油類；２−エチルヘキサン酸セチル、ミリスチン酸イソプロピル、パルミチン酸イソプロピル、ミリスチン酸オクチルドデシル、ロジン酸ペンタエリトリット等のエステル類；トリ２−エチルヘキサン酸グリセリル、ジイソステアリン酸ポリグリセリル、トリイソステアリン酸ジグリセリル、テトライソステアリン酸ジグリセリル、トリベヘン酸グリセリル、デカイソステアリン酸ポリグリセリル等のグリセリド類；Ｎ−ラウロイル−Ｌ−グルタミン酸ジ（フィトステリル・２−オクチルドデシル）、Ｎ−ラウロイル−Ｌ−グルタミン酸ジ（コレステリル・ベヘニル・オクチルドデシル）、Ｎ−ラウロイル−Ｌ−グルタミン酸ジ（コレステリル・オクチルドデシル）等のアミノ酸誘導体；ステアリルアルコール、セチルアルコール、ラウリルアルコール、オレイルアルコール、イソステアリルアルコール、ベヘニルアルコール等の高級アルコール類；高重合ジメチルポリシロキサン、メチルフェニルポリシロキサン、ポリエーテル変性ポリシロキサン、アルコキシ変性ポリシロキサン、架橋型オルガノポリシロキサン等のシリコーン類；パーフルオロデカン、パーフルオロオクタン、パーフルオロポリエーテル等のフッ素系油剤；パルミチン酸デキストリン、ステアリン酸デキストリン、ベヘン酸デキストリン、ヤシ油脂肪酸デキストリン、ラウリン酸デキストリン、ステアリン酸イヌリン等の多糖脂肪酸エステル類等を挙げることができる。
【００３４】
色素・顔料としては、酸化チタン、酸化亜鉛、酸化セリウム、硫酸バリウム等の白色無機顔料；酸化鉄、カーボンブラック、酸化クロム、水酸化クロム、紺青、群青等の有色無機顔料；タルク、白雲母、金雲母、紅雲母、黒雲母、合成雲母、絹雲母（セリサイト）、合成セリサイト、カオリン、炭化珪素、ベントナイト、スメクタイト、酸化アルミニウム、酸化マグネシウム、酸化ジルコニウム、珪ソウ土、ケイ酸アルミニウム、メタケイ酸アルミニウムマグネシウム、ケイ酸カルシウム、ケイ酸バリウム、ケイ酸マグネシウム、煙霧状無水ケイ酸、炭酸カルシウム、炭酸マグネシウム、ヒドロキシアパタイト、窒化ホウ素等の無機体質顔料；二酸化チタン被覆雲母、二酸化チタン被覆オキシ塩化ビスマス、酸化鉄雲母チタン、紺青処理雲母チタン、カルミン処理雲母チタン、オキシ塩化ビスマス、魚鱗箔、ポリエチレンテレフタレート・アルミニウム・エポキシ積層末、ポリエチレンテレフタレート・ポリオレフィン積層フィルム末、ポリエチレンテレフタレート・ポリメチルメタクリレート積層フィルム末等の光輝性顔料；ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリルコポリマー樹脂、ポリプロピレン系樹脂、シリコーン樹脂、ウレタン樹脂等の有機ポリマー粉末顔料；Ｎ−アシルリジン、澱粉、シルク粉末、セルロース粉末等の有機体質顔料；赤色２０１号、赤色２０２号、赤色２０５号、赤色２２６号、赤色２２８号、橙色２０３号、橙色２０４号、青色４０４号、黄色４０１号、赤色３号、赤色１０４号、赤色１０６号、橙色２０５号、黄色４号、黄色５号、緑色３号、青色１号あるいはこれらのジルコニウム、バリウムまたはアルミニウムレーキ等の有機色素；アルミニウム粉、金粉、銀粉等の金属粉体等を挙げることができる。これら色素・顔料はその１種または２種以上を併せて用いることができ、さらに複合化したものを用いても良い。なお、色素・顔料において、粉体状のものは、フッ素系化合物、シリコーン系化合物、金属石鹸、レシチン、水素添加レシチン、コラーゲン、炭化水素、高級脂肪酸、高級アルコール、エステル、ワックス、ロウ、界面活性剤等の１種または２種以上を用いて表面処理を施してあっても良い。
【００３５】
上記美容成分としては、ベンゾフェノン系、パラアミノ安息香酸エステル系、メトキシケイ皮酸エステル系、サリチル酸系、４−ｔｅｒｔ−ブチル−４’−メトキシジベンゾイルメタン、オキシベンゾン等の紫外線吸収剤を始め、消炎剤、植物抽出物、ビタミン類、タンパク質、ペプチド類、ムコ多糖類、多価アルコール等として公知の成分を例示することができ、保存剤・酸化防止剤としては、例えばパラオキシ安息香酸エステル、フェノキシエタノール、ブチルヒドロキシアニソール、ジブチルヒドロキシトルエン、α−トコフェロール等を挙げることができる。
【００３６】
上記の通常の硬さの棒状化粧料の組成について、好適なもののひとつとして、下記組成の化粧料を具体的に例示することができる。このものは、常法により調製が可能である。
（組成）
１．下記（１）および（２）を含有する基剤：１００質量部
（１）（エチレン・プロピレン）コポリマー    １０〜１１質量％
（２）デカイソステアリン酸ポリグリセリル−１０    ８９〜９０質量％
２．色素・顔料：０．０００１〜１０質量部
【００３７】
さらに、本実施態様の棒状化粧料保持体１は、開口縁１５１に計６箇所の切り欠き部１５２が形成されている。このように複数の切り欠き部１５２が形成されることにより、保持体の上端縁と化粧料外周面との接触長さが増加するため、冷却固化時の収縮で発生する応力や使用時のストレスをより効果的に分散することが可能となり、収縮時の応力や使用時のストレスが特に高い化粧料については、化粧料の折れやクラックなどの不具合をさらに高い確率で防ぐことができる。
【００３８】
本発明の棒状化粧料保持体１の材質としては、棒状化粧料の保持が可能で、溶融した化粧料の熱に耐え得るものであれば特に限定されず、各種の金属や合成樹脂材料の１種または２種以上を併用して利用することができるが、保持体自体の成型のし易さ、棒状化粧料の離型のし易さ等の観点から、ポリエチレン樹脂、ポリプロピレン樹脂、ポリスチレン樹脂、ポリアセタール樹脂、ポリアクリロニトリル・スチレン樹脂、ポリアクリロニトリル・ブタジエン・スチレン樹脂等の樹脂材料を好適に使用することができる。
【００３９】
なお、本発明の棒状化粧料保持体は、本発明の効果を損なわない範囲内であれば、その内壁にリブを設けることを排除するものではない。
【００４０】
本発明の棒状化粧料保持体は、これを装着可能な棒状化粧料の容器であれば、いかなる容器においても使用可能であり、口紅、リップクリーム、スティックタイプコンシーラー、皮膚美白用スティック、日焼け止めスティック等の棒状化粧料の容器において、極めて有利に利用することができる。
【符号の説明】
【００４１】
１  …  …  棒状化粧料保持体
２  …  …  スリーブ
３  …  …  回転筒
４  …  …  容器外筒
１１  …  …  周壁
１２  …  …  段部
１３  …  …  上部テーパー面
１４  …  …  下部テーパー面
１５  …  …  上部開口
１６  …  …  下部開口
１７  …  …  突起部
２１  …  …  保持体用ガイド溝
３１  …  …  螺旋溝
４１  …  …  容器底部充填孔    
１５１  …  …  開口縁
１５２  …  …  切り欠き部
Ａ  …  …  軸心
θ１  …  …  軸心と段部の傾斜角度
θ２  …  …  上部テーパー面のテーパー角度
θ３  …  …  下部テーパー面のテーパー角度
【図１】
0006018083.tif 000002
【図２】
0006018083.tif 000003
【図３】
0006018083.tif 000004
【図４】
0006018083.tif 000005
【図５】
0006018083.tif 000006
【図６】
0006018083.tif 000007
【図７】
0006018083.tif 000008
【図８】
0006018083.tif 000009